(57)【特許請求の範囲】
【請求項１】
種類の異なる内容物をそれぞれ充填した２つの容器を横並び配列にしてその口部において着脱自在に連結保持するホルダーと、このホルダーの開口にそれぞれ吸入弁を介してつながり容器内の内容物を通過させる送給通路を形成する管体と、この管体につながり容器内の内容物を吸引、加圧、その出側へと圧送するポンプと、上記管体の出側に配置される吐出弁を有し該吐出弁を通過させた内容物を合流、混合させて混合にかかる内容物を外界へ向けて排出するノズルとを備えた２連式吐出器であって、
前記ポンプは、各管体の送給通路に個別につながる吸排口を有しその内部に２つの空間領域を区画形成する同心二重のシリンダーと、このシリンダーの各空間領域にそれぞれ往復移動可能に配置されレバー操作により同期駆動させて各容器内の内容物を同時に吸引、加圧、ノズルへ向けて圧送する２つのピストンとからなり、
前記管体は、容器の各口部相互間で該容器本体の横並び姿勢とは直交する向きに配列させた直線状の本体部分と、この直線状の本体部分をホルダーに連結する複数本の短屈曲管とからなる、ことを特徴とする２連式吐出器。
【請求項２】
前記短屈曲管は、一方に溝部を有し、他方に該溝部に適合して相互間の位置決めを行うリブとを有する、請求項１記載の２連式吐出器。
【請求項３】
前記短屈曲管は、その外壁に本体部分への押し込み固定に際して冶具を押し当てるフラット面を有する、請求項１又は２記載の２連式吐出器。
【発明の詳細な説明】
【技術分野】
【０００１】
本発明は、２つの容器内に充填された種類の異なる内容物をレバーによる操作でそれぞれの容器から同時に吐出させ、使用直前において混合状態で排出するのに適した２連式吐出器に関するものであり、該吐出器の構造の簡素化、コンパクト化を実現し操作性の改善を図ろうとするものである。
【背景技術】
【０００２】
近年、毛染め剤や洗顔フォーム、トリートメント等においては組成の異なる２種類の内容物を使用直前に混ぜて使用するものが商品として流通してきている。
【０００３】
かかる商品は、それぞれの内容物をそれぞれ個別の容器に充填してそれを１セットにして販売されているのが普通であり、使用に際してはそれぞれの容器から所定の割合になるように内容物を個別に注出して混合する煩雑な作業が必要になっていた。
【０００４】
上記のような従来の問題を解消したものとしては、各容器の口部にポンプ装置の吸引口を接続して該ポンプ装置を手で駆動することで各容器から同時に内容物を注出する吐出装置が知られている(例えば特許文献１参照)が、ポンプ装置を手で駆動する吐出装置は装置自体のサイズが大きく操作性が良いとは言えず（とくに２連式吐出器において顕著）未だ改良の余地が残されていた。
【特許文献１】特開2005−126144号公報
【発明の開示】
【発明が解決しようとする課題】
【０００５】
本発明の課題は、構造の簡素化、コンパクト化を実現し操作性の改善された新規な２連式吐出器を提案するところにある。
【課題を解決するための手段】
【０００６】
本発明は、種類の異なる内容物をそれぞれ充填した２の容器を横並び配列にしてその口部において固定保持するホルダーと、このホルダーの各開口にそれぞれ吸入弁を介してつながり容器内の内容物を通過させる送給通路を形成する管体と、この管体につながり容器内の内容物を吸引、加圧、その出側へと圧送するポンプと、上記管体の出側に配置される吐出弁を有し該吐出弁を通過させた内容物を合流、混合させて混合にかかる内容物を外界へ向けて排出するノズルとを備えた２連式吐出器であって、
前記ポンプは、各管体の送給通路に個別につながる吸排口を有しその内部に２つの空間領域を区画形成する同心二重のシリンダーと、このシリンダーの各空間領域にそれぞれ往復移動可能に配置されレバー操作により同期駆動させて各容器内の内容物を同時に吸引、加圧、ノズルへ向けて圧送する２つのピストンとからなり、
前記管体は、容器の各口部相互間で該容器本体の横並び姿勢とは直交する向きに配列させた直線状の本体部分と、この直線状の本体部分をホルダーに連結する複数本の短屈曲管とからなる、ことを特徴とする２連式吐出器であり、前記短屈曲管は、一方に溝部を有し、他方に該溝部に適合するリブとを有しその組み付けに際して位置決めを行う位置決め機構を有するものがとくに有利に適合する。また、該短屈曲管は、その外壁に本体部分への押し込み固定に際して冶具を押し当てるフラット面を有するものが好ましい。
【発明の効果】
【０００７】
ポンプを構成するシリンダーを同心の二重構造とするとともに、横並びに配列した容器の口部相互間に内容物を送給する通路を設けたので、構造の簡素化、コンパクト化が可能となり片手で容器を把持しながらレバーを操作することができ使い勝手が著しく改善される。
【０００８】
内容物を通す送給通路には短屈曲管（短くて曲がった管）を使用して該送給通路を最短距離で効率よくつなげることができるようになっており、しかも、該短屈曲管の組み付けをその外壁に設けたフラット面での押し込みにより行うこととしたので、確実な組み付けが可能となる。
【発明を実施するための最良の形態】
【０００９】
以下、図面を用いて本発明をより具体的に説明する。
図１〜４は本発明に従う２連式吐出器を容器に装着した状態で示した図であり、図１は外観斜図、図２は側面を断面で示した図、図３は背面を断面で示した図、そして、図４はＡ−Ａ断面を示した図である。
【００１０】
図において１、２は異なる内容物をそれぞれ充填したチューブタイプの容器、３は容器１、２をその口部において横並び姿勢に固定保持するホルダーである。このホルダー３には容器１、２の口部1a、2aと連通する開口3a、3bが設けられている（図２、図３参照）。
【００１１】
また、４、５はホルダー３の開口3a、3bに配置された吸入弁（逆止弁）、６、７は吸入弁４、５を介してホルダー３につながり容器１、２内の内容物を通過させる管体である。この管体６、７は内容物の送給経路を形成するためのものであって容器１、２の各口部1a、2aの相互間で容器１、２の横並び配列とは直交する向きに配列させた直線状の本体部分6a、7a(図４参照)と、この直線状の本体部分6ａ、7aをホルダー３のそれぞれの開口3a、3bに連結する短屈曲管6b、6c、7b、7cとを備えている。
【００１２】
８は管体６、７につながり容器本体１、２内の内容物を吸引、加圧、圧送するポンプである。このポンプ８は管体６、７に個別につながる吸排口ｔ１〜ｔ３を有しその内部に２つの空間領域s1、s2を区画形成する同心二重のシリンダー8aと、このシリンダー8aの各空間領域s1、s2  にそれぞれ往復移動可能に弾性支持され、レバーＬの操作で同期駆動させて各容器本体１、２内の内容物を同時に吸引、加圧、ノズルへ向けて圧送する２つのピストン8b、8cからなる。
【００１３】
さらに、９、10はポンプ８の出側に配置された吐出弁（逆止弁）、11は吐出弁９、10を通過させた内容物を合流、混合させて混合にかかる内容物を外界へ向けて排出するノズル、
12、13は短屈曲管6b、7bに一体的に設けられ容器本体１、２の口部1a、2aに指向するフラット面である。
【００１４】
上記の構成になる２連式吐出器は、ポンプ８を構成するシリンダー8aがその内部において２つの空間領域s1、s2  を形成する同心二重になっており、内容物を通過させる管体６、７の本体部分6a、7aは容器本体１、２の各口部1a、2aの相互間で該容器本体１、２の横並び配列（図４のｘ方向に沿う配列）とは直交する向き（図４のｙ方向）に配列されていることから構造の簡素化、吐出器の小型化が可能であり、片手で容器を把持しながらレバー操作によって内容物の排出が行なえる。
【００１５】
上記の構成においては、本体部分6a、7aの軸芯とホルダー３の開口3a、3bの軸芯はずれる（オフセット）ことになるので、容器本体１、２をホルダー３とともに押し込んだだけでは管体６、７の本体部分6a、7aと短屈曲管6b、7bとがしっかりと連結することができない場合も想定されるが、短屈曲管6b、7bに設けられたフラット面12、13に押し込み冶具（図示せず）を押し当てることで短屈曲管6b、7bと本体部分6a、7aとの連結を確実にすることが可能となる。なお、フラット面12、13に対応するホルダー３の上壁部分には該押し込み冶具を挿通させる開口部を予め設けておく。
【００１６】
短屈曲管6b、6c及び短屈曲管7b、7c同士をそれぞれ連結するに当たっては、何れか一方の短屈曲管に溝部14a、14bを設けておき、もう一方の短屈曲管に設けたリブ15a、15bをその溝部に適合させて位置決めすることで迅速な組込みが可能となる。
【００１７】
枢軸L１を支点にしてレバーＬを図２の仮想線の如く動かしてピストン8b、8cをスプリングＰの弾性力に抗する向きへ押し込み、その状態からレバーＬに加えられた負荷を取り除くと、ピストン8b、8cを弾性支持するスプリングＰの復元力にてレバーＬはピストン8b、8cとともに初期位置へと復帰し、この時、シリンダー8a内が負圧となるため容器１、２内の内容物が吸入弁４、５を通って管体６、７、シリンダー８へと吸引される。
【００１８】
レバーＬの操作により再びピストン8b、8cを押し込むと管体６、７、シリンダー８に存在する内容物は加圧され所定の圧力に達した時点で吐出弁９、10を経てノズル11へと圧送されることとなり、ノズル11へと圧送された内容物はそこで混合されたのちその先端から外界へと排出される。
【００１９】
本発明の実施の形態では、短屈曲管6b、6c、7b、7cをそれぞれ２つ組み合わせたものを例として示したが、その数はとくに限定されない。
【産業上の利用可能性】
【００２０】
構造が簡素化、コンパクト化された操作性の良好な２連式吐出器が提供できる。
【図面の簡単な説明】
【００２１】
【図１】本発明に従う２連式吐出器の実施の形態を示した外観斜視図である。
【図２】図１に示した吐出器の側面を断面で示した図である。
【図３】図１に示した吐出器の背面を断面で示した図である。
【図４】図１に示した吐出器のＡ−Ａ断面を示した図である。
【符号の説明】
【００２２】
１  容器
1a  口部
２  容器
2a  口部
３  ホルダー
3a  開口
3b  開口
４  吸入弁
５  吸入弁
６  管体
6a  直線状の本体部分
6b  短屈曲管
6c  短屈曲管
７  管体
7a  直線状の本体部分
7b  短屈曲管
7c  短屈曲管
８  ポンプ
8a  シリンダー
8b  ピストン
8c  ピストン
９  吐出弁
10  吐出弁
11  ノズル
12  フラット面
13  フラット面
t１〜t３  吸排口
s１、s２  空間領域
Ｐ  スプリング
【図１】
0004598658.tif 000002
【図２】
0004598658.tif 000003
【図３】
0004598658.tif 000004
【図４】
0004598658.tif 000005